(57)【要約】【課題】多機能な電子機器の操作は煩雑で習得が難しい。【解決手段】ＬＣＤの周縁部分に、現在の機器の設定値を列挙表示する。十字キー、またはジョグダイヤルを操作すると、列挙表示されている設定値のうちの一つを強調表示し、カーソルとして移動し、選択できる。選択した設定値を更に展開し、プルダウン／プルアップメニュー形式で複数の設定可能な値を列挙表示し、これを選択する。選択して決定した新たな値は、列挙表示される設定値として新たに反映される。【選択図】図１０
2008072491.tif 000002
【特許請求の範囲】
【請求項１】
表示画面を有する表示部と、
正方向及び逆方向の二方向以上の指示信号を出力する第１のスイッチと、
承諾の意思を示す指示信号を出力する第２のスイッチと、
取り消しの意思を示す指示信号を出力する第３のスイッチと、
複数の設定値を記憶する記憶部と、
前記記憶部に接続され、前記表示画面に複数の設定値を表示すると共に、前記第１及び第２及び第３のスイッチから得られる指示信号を受けて、前記複数の設定値を変更し、前記記憶部に反映する表示画面制御部と
よりなることを特徴とする携帯型電子機器であり、
前記表示画面制御部は更に、
前記表示画面に複数の設定値を表示する第１の状態と、
前記第１及び第２及び第３のスイッチから得られる指示信号を受けて、前記複数の設定値のうちの一つを選択的に強調表示する第２の状態と、
前記第１及び第２及び第３のスイッチから得られる指示信号を受けて、前記複数の設定値のうちの一つを選択した後、前記選択された設定値の変更を実行可能に表示する第３の状態を備え、
前期第３の状態にて前記選択された設定値を変更した後、前記変更した設定値にて前記表示画面上の前記複数の設定値の表示を更新することを特徴とする、携帯型電子機器。
【請求項２】
前記携帯型電子機器は撮影装置であり、
前記携帯型電子機器は更に、
撮像素子と、
前記撮像素子が出力する信号を処理する撮影信号処理部と、
前記表示画面制御部が出力する表示画面情報と、前記撮影信号処理部が出力する撮影情報を合成する画像合成部と
を備え、
前記表示画面制御部は前記複数の設定値の内容を前記撮影信号処理部に反映させることを特徴とする、請求項１記載の携帯型電子機器。
【請求項３】
前記携帯型電子機器は撮影装置であり、
前記携帯型電子機器は更に、
撮像素子と、
前記撮像素子が出力する信号を処理する撮影信号処理部と、
前記撮像素子が出力する信号を処理する表示用信号処理部と、
前記表示画面制御部が出力する表示画面情報と、前記表示用信号処理部が出力する撮影情報を合成する画像合成部と
を備え、
前記表示画面制御部は、前記複数の設定値の内容を未決定の状態で前記表示用信号処理部に反映させると共に、前記複数の設定値の内容を決定した状態で前記撮影信号処理部に反映させることを特徴とする、請求項１記載の携帯型電子機器。
【請求項４】
表示画面を有する表示部と、
少なくとも４つの異なる方向の指示信号を出力するスイッチと、
複数の設定を記憶する記憶部と、
前記記憶部に接続され、前記表示画面に複数の設定値を表示すると共に、前記スイッチから得られる指示信号を受けて、前記複数の設定値を変更し、前記記憶部に反映する表示画面制御部と
よりなることを特徴とする携帯型電子機器であり、
前記表示画面制御部は更に、
前記表示画面に複数の設定値を表示する第１の状態と、
前記スイッチから得られる指示信号を受けて、前記複数の設定値のうちの一つを選択的に強調表示する第２の状態と、
前記スイッチから得られる指示信号を受けて、前記複数の設定値のうちの一つを選択した後、前記選択された設定値の変更を実行可能に表示する第３の状態を備え、
前期第３の状態にて前記選択された設定値を変更した後、前記変更した設定値にて前記表示画面上の前記複数の設定値の表示を更新することを特徴とする、携帯型電子機器。
【請求項５】
前記携帯型電子機器は撮影装置であり、
前記携帯型電子機器は更に、
撮像素子と、
前記撮像素子が出力する信号を処理する撮影信号処理部と、
前記表示画面制御部が出力する表示画面情報と、前記撮影信号処理部が出力する撮影情報を合成する画像合成部と
を備え、
前記表示画面制御部は前記複数の設定値の内容を前記撮影信号処理部に反映させることを特徴とする、請求項４記載の携帯型電子機器。
【請求項６】
前記携帯型電子機器は撮影装置であり、
前記携帯型電子機器は更に、
撮像素子と、
前記撮像素子が出力する信号を処理する撮影信号処理部と、
前記撮像素子が出力する信号を処理する表示用信号処理部と、
前記表示画面制御部が出力する表示画面情報と、前記表示用信号処理部が出力する撮影情報を合成する画像合成部と
を備え、
前記表示画面制御部は、前記複数の設定値の内容を未決定の状態で前記表示用信号処理部に反映させると共に、前記複数の設定値の内容を決定した状態で前記撮影信号処理部に反映させることを特徴とする、請求項４記載の携帯型電子機器。
【請求項７】
表示画面に複数の設定値を列挙表示する第１ステップと、
前記第１ステップにおいて、正方向及び逆方向の二方向以上の指示信号を出力する第１のスイッチまたは承諾の意思を示す指示信号を出力する第２のスイッチのいずれかの操作を検出して、前記複数の設定値のうちの一つを強調表示する第２ステップと、
前記第２ステップにおいて、前記第１のスイッチの操作を検出して、前記複数の設定値のうちの一つの前記強調表示を移動する第３ステップと、
前記第２ステップまたは前記第３ステップにおいて、前記第２のスイッチの操作を検出して、前記強調表示されている前記複数の設定値のうちの一つにおける、複数の設定可能な値を列挙表示する第４ステップと、
前記第４ステップにおいて、前記第１のスイッチの操作を検出して、前記列挙表示されている前記設定可能な値のうちの一つを選択的に強調表示する第５ステップと、
前記第４ステップまたは前記第５ステップにおいて、前記第２のスイッチの操作を検出して、前記列挙表示されている前記設定可能な値のうちの一つを新たな設定値として設定し、新たに前記表示画面に列挙表示する第６ステップと
よりなることを特徴とする、電子機器の設定内容を表示し、変更する方法。
【発明の詳細な説明】
【技術分野】
【０００１】
本発明は、電子機器において設定内容を表示し、変更する方法、またその装置に関する。
より詳細には、ＬＣＤ等の小型表示素子を備える携帯型電子機器において、当該機器の設定内容を小型表示素子に表示し、その設定内容を変更したり確認したりする方法、またそのような機能を備える電子機器に関する。
【背景技術】
【０００２】
市場に流通する電子機器は、高機能化及び多機能化が進んでいる。
電子機器は機能の多さに比例して操作ボタン等が増える。これに伴い、利用者は、そのような電子機器の操作を習熟することが難しくなっている。
【０００３】
一例として、デジタル一眼レフカメラを考察する。
デジタル一眼レフカメラには、モードダイヤル、ドライブボタン、シャッターボタン、コントロールダイヤル、プレビューボタン、ファンクションボタン、ファンクションダイヤル、フォーカスモードスイッチ、パワースイッチ、メニューボタン、表示切替ボタン、消去ボタン、再生ボタン、十字キー、実行ボタン、視度調整ダイヤル、露出補正ボタン、ＡＥロックボタン、手ぶれ補正スイッチと、操作子が沢山存在する。
これほどの操作子があると、使用者は、デジタル一眼レフカメラが備える機能を使いこなすために、操作方法を覚えるための努力をする必要が生じる。また、一朝一夕に全ての機能を把握することは困難である。
【特許文献１】特開２００１−７５７１２号公報
【発明の開示】
【発明が解決しようとする課題】
【０００４】
機器が備える多種多様な機能をおよそ単一に等しい操作子の操作にて表示し、設定する技術として、特許文献１に開示される技術内容がある。
特許文献１には、ノート型パーソナルコンピュータにジョグダイヤルを装備し、表示されている稼働中のプログラムの設定項目の値をジョグダイヤルで変更できる技術内容が開示されている。
しかしながら、開示されている技術内容では、設定内容は一目では判り得ない。また、設定内容を変更するには専用のメニュー画面を別途の操作手段にて呼び出す必要がある。
【０００５】
本発明はかかる点に鑑みてなされたものであり、多機能な電子機器の操作が煩雑で習得が難しい点を解決することを目的とする。
【課題を解決するための手段】
【０００６】
上記課題を解決するための本発明は、表示画面に複数の設定値を表示する。これを第１の状態とする。そして、正方向及び逆方向の二方向以上の指示信号を出力する第１のスイッチ、承諾の意思を示す指示信号を出力する第２のスイッチ、取り消しの意思を示す指示信号を出力する第３のスイッチの操作を表示画面制御部が受け、表示画面に表示されている複数の設定値のうちの一つを選択的に強調表示する第２の状態と、選択された設定値の変更を実行可能に表示する第３の状態とで遷移する。選択した設定内容にて設定値を変更すると、その値が表示画面にて表示される設定値に反映される。
【０００７】
本発明によると、表示画面に表示された複数の設定値の表示状態が、第１〜第３の３つのスイッチの操作で、第１の状態と第２の状態と第３の状態との間で遷移し、３つのスイッチによる操作だけで、ユーザフレンドリーな操作体系を提供することが可能となる。
【発明の効果】
【０００８】
本発明により、ＬＣＤ等の表示画面を備える携帯型電子機器において、３つのスイッチによる操作だけで、およそ必要な設定項目の表示や変更を容易に実現できる、ユーザフレンドリーな操作体系を提供する電子機器、及び電子機器の設定内容を表示し、変更する方法が実現できる。
更に、本発明により、静止画或は動画を撮影する装置においては、表示画面に表示されている撮影中の画像をオンデマンドに変更できるので、操作に伴ってどのように撮影画像が変更されるのかが、使用者は直感的に把握できる。特に、動画撮影機器においては撮影中の設定変更が確実且つ高品位に実現できる。
【発明を実施するための最良の形態】
【０００９】
以下、本発明の実施の形態を、図１〜図１３を参照して説明する。
【００１０】
図１は、本発明の第一の実施形態である、ビデオカメラの概観図である。
ビデオカメラ１０１は、動画或は静止画の記録及び再生ができる機器であり、図示しないビデオテープに動画を、図示しないフラッシュメモリに静止画を記録する。
グリップ部１０２の近傍には、録画ボタン１０３とジョグダイヤル１０４が設けられている。
録画ボタン１０３は動画においては録画時に、静止画においては撮影時に押すボタンである。
ジョグダイヤル１０４は携帯電話やノート型パーソナルコンピュータ等、多くの電子機器に採用されている操作子であり、本発明に直接関わる操作子である。ジョグダイヤル１０４は、回転体と、回転体により駆動されるロータリースイッチを備え、回転体が回転される毎にパルスを発生すると共に、回転体の回転方向も検出できるものである。更に、回転体に連動する押しボタンスイッチも内蔵されており、回転体を押し込むことにより押しボタンスイッチが押圧され、回転体が押し込まれている期間だけ押しボタンスイッチがオン状態になる。つまり、ジョグダイヤル１０４は「回す」動作と「押す」動作を受け入れる操作子である。
ジョグダイヤル１０４の近傍には、キャンセルキー１０５が設けられている。これは、ジョグダイヤル１０４等による種々の操作において、ある状態から一歩手前の状態等に戻る際に用いられる。
【００１１】
操作パネル１１２の左脇にはＬＣＤ１０６が設けられており、操作パネル１１２には円形の十字キー１０７が設けられている。更に、十字キー１０７の中央にはエンターキー１０８が設けられている。
ＬＣＤ１０６は設置角度が変更可能に設けられている。ＬＣＤ１０６はカメラの現在の状態を表示すると共に、録画或は撮影される風景や人物等、現在の映像をも表示できるものである。また、非撮影状態においては撮影済みの画像を再生する役割も担う。
ビデオカメラ１０１は更に、設置角度が変更可能なファインダー１１１も備える。ファインダー１１１もＬＣＤによって構成されており、表示内容はＬＣＤ１０６と同じである。
図３（ａ）及び（ｂ）は静止画撮影時におけるＬＣＤ１０６の表示状態を示すものである。
図３（ａ）は現在の撮影状態をほぼ全て網羅的に表示する状態を示す。これら表示されている項目はカメラの設定情報（いわゆるステータス情報）である。
図３（ｂ）は現在カメラ内部の図示しないＣＣＤ撮像素子にて受光している画像と、現在の撮影状態（設定情報）の一部を画面周縁に表示する状態を示す。
本発明にかかる実施形態では、この画面周縁に表示される設定情報を、前述のジョグダイヤル１０４及び十字キー１０７にて直接操作し、設定内容を変更するものである。この動作の詳細については後述する。
【００１２】
再び図１において、十字キー１０７は、上下左右の方向を指示する、周知のキーである。
左右方向のキーは左右方向にカーソルを移動させる機能の他に、表示される項目によっては、右方向を押すとエンターキー１０８の代わりに、左方向を押すとキャンセルキー１０５の代わりに使われる場合がある。
十字キー１０７の中心にはエンターキー１０８が設けられている。エンターキー１０８は必ずしも必要とはいえないものの、操作者の誤操作を防ぐ意味で設けられている。
【００１３】
図２（ａ）及び（ｂ）は、カメラ内部の、主に電子回路部分のみに注目した機能ブロック図である。
図２（ａ）において、ＣＣＤ撮像素子２０２は撮影画像を電気信号に変換する。
Ａ／Ｄ変換器２０３はＣＣＤ撮像素子２０２から得られるアナログの画像信号をデジタル情報信号に変換する。
ＤＳＰ（Digital Signal Processor: 音声や画像などの処理に特化した演算処理集積回路装置）２０４は、デジタル情報信号である入力画像データに適切な処理を施し、撮影用画像データを作成する。そして、撮影用画像データはディスプレイドライバ２０５を介して表示部であるＬＣＤ１０６に出力すると共に、ＪＰＥＧ（Joint Photographic Experts Group）等の画像ファイルフォーマットに変換し、インターフェース（図２（ａ）中「Ｉ／Ｆ」）２０６を通じて不揮発性ストレージ２０７に出力し、保存する。
不揮発性ストレージ２０７は撮影画像をファイルとして保存するものであり、動画の場合はビデオテープ、ハードディスク或は光ディスク等の大容量記憶媒体を、静止画の場合は主にフラッシュメモリを用いる。
【００１４】
一方、ＤＳＰ２０４にはマイクロコンピュータ２０８が接続されており、マイクロコンピュータ２０８から発される様々な指示命令によって、ＤＳＰ２０４はその動作状態が制御される。また、マイクロコンピュータ２０８には十字キー１０７とジョグダイヤル１０４等の操作子が接続されている。
例えば、図２においては図示していない録画ボタン１０３を押すと、マイクロコンピュータ２０８は録画ボタン１０３の押し下げ状態を検出し、ＤＳＰ２０４に対して撮影実行命令を発行する。ＤＳＰ２０４はこれを受けて、ＣＣＤ撮像素子２０２が現在受光している画像の信号から、Ａ／Ｄ変換器２０３にて変換された入力画像データに対し、輝度の補正等、所定の加工を施した後、ＪＰＥＧ変換して、不揮発性ストレージ２０７にファイルとして保存する。このように、操作子の操作がマイクロコンピュータ２０８を通じてＤＳＰ２０４を制御する。
【００１５】
図２（ｂ）はＤＳＰ２０４とマイクロコンピュータ２０８の内部の機能ブロック図である。周知のように、ＤＳＰ２０４とマイクロコンピュータ２０８はソフトウェアにて動作するものである。そこで、当該ソフトウェアが提供する機能を詳述する目的でこのような図面を作成した。
ＤＳＰ２０４の内部の撮影信号処理部２１１は、Ａ／Ｄ変換器２０３から得られる入力画像データに所定の処理を施す。撮影信号処理部２１１から出力される撮影用画像データは、インターフェース２０６に出力されると共に、画像合成部２１２にも出力される。
一方、マイクロコンピュータ２０８の内部は、主にメニュー表示及び設定値変更部２１３によって機能が成り立っている。実体はＲＡＭである設定情報記憶部２１４に記憶されている様々な設定情報から、ＬＣＤ１０６に表示する画面の情報を作成し、画像合成部２１２に送る。また、シリアルインターフェース２１５を介して入力される操作子の操作状態信号を受けて、表示している設定情報を変更するメニュー等を作成する。
画像合成部２１２では、撮影信号処理部２１１から得られる画像情報と、メニュー表示及び設定値変更部２１３から得られるメニュー画面情報を合成する。つまり、スーパーインポーズ処理を施すものである。
【００１６】
図３（ａ）は、ビデオカメラ１０１を静止画撮影モードにて動作させる際に、ＬＣＤ１０６においてビデオカメラ１０１の設定情報の殆ど全てを表示する状態を示す図である。一方、図３（ｂ）は、ＬＣＤ１０６においてビデオカメラ１０１の設定情報の一部を表示すると共に、現在ＣＣＤ撮像素子２０２が受光している状態をモニタしている図である。図３（ａ）と（ｂ）は、十字キー１０７やジョグダイヤル１０４、或は図示しない他の操作子による所定の操作により、使用者の意思に基づいて切り替えが可能になっている。
【００１７】
以下、表示項目について簡単に説明する。
撮影モード３０２は、撮影する指針を指示するものである。
撮影モード３０２の表示が「Ｐ」のときは「プログラムオート撮影」を意味し、露出（シャッタースピードと絞り）はビデオカメラ１０１の制御に委ねる（すなわち、変更不可能）一方、その他の値は変更が可能な撮影モードである。
図３（ａ）では図示していないが、後述する「Ｍ」のときは「マニュアル撮影」を意味し、シャッタースピードも絞りも変更が可能な撮影モードである。
この他にも、殆ど全ての設定をビデオカメラ１０１の制御に委ねるオート撮影モード、絞り値を優先する絞り優先撮影モード、シャッタースピードを優先するシャッタースピード優先撮影モード等があるが、本発明の趣旨から外れるのでこれら機能の詳細な説明は省略する。
ここで注目して頂きたいのは、「Ｐ」のときはシャッタースピードと絞りが変更不可能である一方、「Ｍ」のときは変更が可能である、ということである。このことについては後述する。
シャッタースピード３０３はシャッターが開けられる時間を示すものである。「１２５」とは「１２５分の１秒」を示す。
絞り値３０５は光学系に挿入されている絞りの開口状態を示すものである。
【００１８】
フラッシュモード３０６はフラッシュの発光状態を示すものである。
露出補正３０７は自動にて設定した露出状態、すなわちシャッタースピード３０３と絞り値３０５の組み合わせに対し、使用者の発意に基づいて補正する機能と、その状態を示すものである。
調光補正３０８は、露出補正３０７とは別にフラッシュの発光量だけを調整する機能と、その状態を示すものである。
測光インジケータ３０９は、周知の露出計である。
ＩＳＯ感度３１０は、光に対する感度を示す値である。この値が大きければ感度は増すが、画質は荒くなる。「ＩＳＯ  ＡＵＴＯ」と表示されているときは、ＩＳＯ感度３１０の調整をビデオカメラ１０１の自動調整機能に委ねることを意味する。
画像仕上げ機能３１１は、撮影シーンや用途に応じて、色調、ホワイトバランス、彩度、シャープネス等を予め最適な値に設定（プリセット）したものを選択できる機能である。
測光モード３１２は、ビデオカメラ１０１が被写体の明るさを測る方法を選択できる機能である。画面全体から平均的に測光するモード、画面の中心を重点的に測光するモード、画面の中心だけを測光するモードの三種類から選べる。
【００１９】
画像サイズ３１３は不揮発性ストレージ２０７に保存する画像ファイルにおける、画面の大きさを指定する機能である。「画像サイズ」と書かれてはいるが、画像ファイルの大きさではないことに注意されたい。画質３１４は不揮発性ストレージ２０７に保存する画像ファイルにおける、画面の質を指定する機能である。これらの値は画像ファイルの大きさを左右するので、撮影可能枚数に大きく関係する。
撮影可能枚数３１５は、不揮発性ストレージ２０７の空き容量に対し、現在の画像サイズ３１３及び画質３１４の設定によって生成される大きさ（データ容量）の画像ファイルが格納可能なファイル数を示す。要するに、不揮発性ストレージ２０７の空き容量をファイルサイズ（クラスタ単位）で割った、整数値である。
バッテリー残量３１６は現在の電池の残り容量である。
【００２０】
コントラスト３１７は画像の明暗差である。
彩度３１８は画像の色の鮮やかさである。
シャープネス３１９は画像中の輪郭部分における鮮鋭度である。
Ｄレンジオプティマイザ３２０は、先ず画像を分析して当該画像がどのような撮影シーンであるかを判別し、その判別結果を基に画面全体の明るさやコントラスト３１７を自動調整し、撮影画像の画質３１４を向上させる機能である。
【００２１】
図３（ａ）と図３（ｂ）とを見比べると、図３（ｂ）の方はＬＣＤ１０６の表示画面の上側と下側にしか設定項目を表示していないので、表示できる項目数が少ないことがわかる。したがって、画面を切り替えて表示できなかった項目を表示させる必要が生じる。この機能については後述する。
【００２２】
図４は本実施形態におけるメニュー表示及び設定機能の動作を示す状態遷移図である。
図５は本実施形態におけるメニュー表示及び設定機能の動作を示す状態遷移表である。
図４は原理説明に特化するため、図３（ｂ）のような表示ではなく、「項目１」、「項目２」、「項目３」及び「項目４」だけを画面内に表示させている。
図４及び図５を見ればわかるが、本実施形態において、画面上における設定項目の表示状態は、「初期状態Ｓ４０１」、「カーソル表示状態Ｓ４０２」及び「プルダウン／プルアップメニュー表示状態Ｓ４０３」の三つが存在する。
【００２３】
初期状態Ｓ４０１では、図４（ａ）に示すように、ＬＣＤ１０６の画面内には項目１から項目４までが画面下側に単純に列挙表示されているだけである。
初期状態Ｓ４０１において、十字キー１０７の上下左右のいずれかのボタンを押すと（Ｔ４０４）、画面内にて最も左端に位置する項目１を明滅表示させ（図４（ｂ））、カーソル表示状態Ｓ４０２に移行する。項目の明滅状態がカーソルである。
カーソル表示状態Ｓ４０２において、何も操作せずに５秒経過するか、キャンセルキーを押すと（Ｔ４０５）、項目の明滅表示状態を止めて（図４（ａ））、初期状態Ｓ４０１に戻る。
カーソル表示状態Ｓ４０２において左右十字キー１０７を押すと（Ｔ４０６）、項目の明滅表示状態が左右に移動し（図４（ｃ））、再びカーソル表示状態Ｓ４０２に戻る。カーソルの移動である。
カーソル表示状態Ｓ４０２において上下十字キー１０７を押すと（Ｔ４０７）、現在明滅表示状態にある項目から画面の上方向或は下方向に選択可能な値、或は設定され得る値を列挙表示し（図４（ｄ））、プルダウン／プルアップメニュー表示状態Ｓ４０３に移行する。
プルダウン／プルアップメニュー表示状態Ｓ４０３において上下十字キー１０７を押すと（Ｔ４０８）、現在上下方向に列挙表示されている複数の値のうち、選択可能な値の間において明滅表示を移動し（図４（ｅ））、再びプルダウン／プルアップメニュー表示状態Ｓ４０３に戻る。カーソルの上下方向への移動である。
プルダウン／プルアップメニュー表示状態Ｓ４０３において右十字キー１０７又はエンターキー１０８を押すと（Ｔ４０９）、現在上下方向に列挙表示されている複数の値のうち、明滅表示している値を設定値に設定する。次に、プルダウン／プルアップメニューの表示を止めて、設定した項目を新たに設定した値にて明滅表示し、カーソル表示状態Ｓ４０２に移行する。
プルダウン／プルアップメニュー表示状態Ｓ４０３において左十字キー１０７又はキャンセルキーを押すと（Ｔ４１０）、何ら値を設定することなくプルダウン／プルアップメニューの表示を止めて、設定した項目を明滅表示し、カーソル表示状態Ｓ４０２に移行する。
【００２４】
以上説明したように、十字キー１０７の操作によって、画面の周縁に表示されている設定項目から、選択した項目について設定し得る値を列挙表示し、設定可能な値については設定することができる。
なお、ジョグダイヤル１０４による操作では、以下のような対応となる。
初期状態Ｓ４０１（図４（ａ））におけるダイヤル右回し、ダイヤル左回し及びダイヤル押し込み（エンターキー１０８）は、夫々カーソル表示後（Ｔ４０４）、カーソル表示状態Ｓ４０２へ移行する（図４（ｂ））。
カーソル表示状態Ｓ４０２におけるダイヤル右回しは、カーソルを右へ移動し（Ｔ４０６）、カーソル表示状態Ｓ４０２に戻る（図４（ｃ））。
カーソル表示状態Ｓ４０２におけるダイヤル左回しは、カーソルを左へ移動し（Ｔ４０６）、カーソル表示状態Ｓ４０２に戻る。
カーソル表示状態Ｓ４０２におけるダイヤル押し込み（エンターキー１０８と等価）は、プルダウン／プルアップメニューを表示し（Ｔ４０７）、プルダウン／プルアップメニュー表示状態Ｓ４０３へ移行する（図４（ｄ））。
カーソル表示状態Ｓ４０２におけるキャンセルキーは、カーソル表示を止めて（Ｔ４０５）、初期状態Ｓ４０１へ移行する（図４（ａ））。
プルダウン／プルアップメニュー表示状態Ｓ４０３におけるダイヤル右回しは、カーソルを上へ移動し（Ｔ４０８）、プルダウン／プルアップメニュー表示状態Ｓ４０３に戻る（図４（ｅ））。
プルダウン／プルアップメニュー表示状態Ｓ４０３におけるダイヤル左回しは、カーソルを下へ移動し（Ｔ４０８）、プルダウン／プルアップメニュー表示状態Ｓ４０３に戻る。
プルダウン／プルアップメニュー表示状態Ｓ４０３におけるダイヤル押し込み（エンターキー１０８と等価）は、現在明滅表示している値を設定値に設定し、プルダウン／プルアップメニューの表示を止めて、設定した項目を明滅表示し（Ｔ４０９）、カーソル表示状態Ｓ４０２に移行する。
プルダウン／プルアップメニュー表示状態Ｓ４０３におけるキャンセルキーは、何ら値を設定することなくプルダウン／プルアップメニューの表示を止めて（Ｔ４１０）、カーソル表示状態Ｓ４０２に移行する。
【００２５】
図６（ａ）、（ｂ）、（ｃ）及び（ｄ）は、画面上における項目の表示方法のバリエーションを示すものである。
本来表示したり設定したりする項目が多過ぎて、スーパーインポーズの状態では画面内に全ての項目が収まり切らない場合がある。図３（ａ）及び（ｂ）の場合はまさにこれに該当する。そこで、カーソル表示状態Ｓ４０２において、左右十字キー或はジョグダイヤルの回転によってカーソルを移動する際に（Ｔ４０６）、表示したい項目を複数画面に分ける等で対応する。
図６（ａ）は、上側に常時表示させておきたい項目を列挙し、下側のみ複数画面にて表示する実施形態である。
第一画面では上側に１から４までの項目、下側に５から８までの項目が列挙表示されている。
カーソル表示状態Ｓ４０２のときに右十字キー押し下げ或はジョグダイヤル右回しを行うと、カーソルが１から順番に８へと移動する。８の次は第二画面に移行し、上側は１から４までの項目、下側に９から１１までの項目が列挙表示されており、右十字キー押し下げ或はジョグダイヤル右回しにてカーソルが９から順番に１１へと移動する。更に１１から先は第一画面に戻り、１からカーソル表示を移動する。
図６（ｂ）は、上側及び下側の項目も複数画面にて表示する実施形態である。
第一画面では上側に１から４までの項目、下側に５から８までの項目が列挙表示されている。
カーソル表示状態Ｓ４０２のときに右十字キー押し下げ或はジョグダイヤル右回しを行うと、カーソルが１から順番に８へと移動する。８の次は第二画面に移行し、上側にのみ９から１１までの項目が列挙表示されており、右十字キー押し下げ或はジョグダイヤル右回しにてカーソルが９から順番に１１へと移動する。更に１１から先は第一画面に戻り、１からカーソル表示を移動する。
図６（ｃ）は、図６（ｄ）のようなリング状に項目を順番に表示する実施形態である。
画面では下側に１から４までの項目が列挙表示されている。カーソル表示状態Ｓ４０２のときに右十字キー押し下げ或はジョグダイヤル右回しを行うと、カーソルが１から順番に４へと移動する。４の次は各表示項目が左側へずれ、左端の１は消えると共に、左端から２、３、４、そして右端には５が表示され、５を明滅表示させる。つまり、カーソル位置は画面右端に固定しつつ、項目が移動する。これ以降も同様に、表示項目が一つずつ左にずれていき、リング状の表示項目を順番に表示させると同じような状態となる。
【００２６】
図７及び図８は、本実施形態にかかるビデオカメラ１０１における、各項目の具体的な表示状態の一例を示す図である。
図７（ａ）はプログラムオート撮影モード３０２における、ＬＣＤ１０６の上側の表示状態を示す。
プログラムオート撮影モード３０２では、
- ＩＳＯ感度３１０は変更可であり、
- シャッタースピード３０３は変更不可であり、
- 絞り値３０５は変更不可であり、
- フラッシュモード３０６は変更可であり、
- 撮影可能枚数３１５は変更不可であり、
- バッテリー残量３１６は変更不可である。
以上のような状態から、撮影モード３０２をマニュアル撮影モード３０２に変更すると、図７（ｂ）のようになる。
マニュアル撮影モード３０２では、
- ＩＳＯ感度３１０は変更可であり（但しＡＵＴＯは選択不可である）、
- シャッタースピード３０３は変更可であり、
- 絞り値３０５は変更可であり、
- フラッシュモード３０６は変更可であり、
- 撮影可能枚数３１５は変更不可であり、
- バッテリー残量３１６は変更不可である。
すなわち、主要な設定項目の値が使用者の意のままに設定可能になる代わりに、自動的に設定できる機能が無効になる。
【００２７】
図７（ｃ）はプログラムオート撮影モード３０２における、ＩＳＯ感度３１０のプルダウンメニュー項目の表示状態を示す。この状態では、「ＡＵＴＯ」を含め全ての値が設定可能である。
図７（ｄ）はマニュアル撮影モード３０２における、ＩＳＯ感度３１０のプルダウンメニュー項目の表示状態を示す。この状態では、「ＡＵＴＯ」が設定不可能になり、それを示すために「ＡＵＴＯ」の文字が他の値と比べて薄い表示になる。
【００２８】
以上に説明したように、撮影モードを変更することで、それまで選択設定ができなかった項目が選択設定できるようになったり、またはその逆になったり、或は選択設定できる項目が変わったりする。
つまり、ある設定項目を変更すると、変更項目の内容に依存する他の設定項目或は表示項目に変化を生じさせることができる。
【００２９】
図８はプログラムオート撮影モード３０２において、撮影シーンの変化と、それに対するＬＣＤ１０６の上側の表示状態の変化を示す。
図８（ａ）は晴天の屋外を示す。一方、図８（ｂ）は室内を示す。
図８（ｃ）は、図８（ａ）におけるＬＣＤ１０６の上側の表示状態である。ＩＳＯ感度３１０がＡＵＴＯに設定されているので、シャッタースピード３０３と絞り値３０５は通常の値に設定されている。
図８（ｄ）は、図８（ｂ）におけるＬＣＤ１０６の上側の表示状態である。ＩＳＯ感度３１０がＡＵＴＯに設定されているが、室内は暗いので、シャッタースピード３０３が３０分の１秒という、手ブレによる画質３１４の悪化の可能性が極めて高い値に設定されている。つまり、ＩＳＯ感度３１０をＡＵＴＯに設定するだけでは適切な設定にならないことがわかる。
そこで、図８（ｅ）に示すように、ＩＳＯ感度３１０のプルダウンメニューを開き、ＡＵＴＯから変更する。すると、設定していない状態でもシャッタースピード３０３が選択した値に応じてオンデマンドに変化する。図８（ｅ）では、カーソルをＩＳＯの４００に移動したときに、シャッタースピード３０３が６０分の１秒に変化した。６０分の１秒なら、手ブレの影響は３０分の１秒よりも小さいので、これを選択するべく、右十字キー１０７で設定を確定する。
【００３０】
図９は本発明の第二の実施形態を示す、ビデオカメラ１０１の内部の機能ブロック図である。
第一の実施形態ではビデオカメラ１０１を静止画撮影モードにて稼動させる際の技術を説明したが、第二の実施形態ではビデオカメラ１０１を動画の録画モードにて稼動させる際の技術を説明する。
ビデオカメラ１０１全体の機能ブロック図は図２（ａ）と殆ど同じである。異なるのは、不揮発性ストレージ２０７がフラッシュメモリでは容量が少ないので、フラッシュメモリの代わりにハードディスク装置や光ディスク装置が用いられる点である。なお、音声信号の記録機能については本発明の趣旨に関係しないので説明を割愛する。
そして、ＤＳＰ２０４とマイクロコンピュータ２０８の機能は、図２（ｂ）の代わりに図９によって表される。
図９の、図２（ｂ）と異なる点は、撮影信号処理部２１１の他に表示信号処理部９０３が新たに設けられ、画像合成部２１２は表示信号処理部９０３から出力されるデジタル画像情報とメニュー表示とをスーパーインポーズする点と、メニュー表示及び設定値変更部２１３は撮影信号処理部２１１と表示信号処理部９０３とでそれぞれ異なる設定を指示する点である。
【００３１】
図１０はビデオカメラ１０１のＬＣＤ１０６或はファインダー１１１における、表示状態の一例を示す。図中に表されているメニュー表示機能及び項目値設定機能は、マイクロコンピュータ２０８にて稼動するプログラムによってもたらされる。
図１０（ａ）は通常の表示状態を示す。初期状態Ｓ４０１と等価である。
ＡＴＷは Auto Tracking White の略で、動画像中のホワイトバランスを自動追尾する機能である。
「１８ｄＢ」という表記は映像アンプのゲインを設定し、表示するものである。動画像が暗く、光量が少ないときにゲインを増加させる。
「ＮＤ１」という表記はＮＤフィルタの装着状態を表示するものである。ＮＤフィルタは光学フィルタなので、当然にメニューからの変更はできない。しかし、ビデオカメラ１０１が装着可能なＮＤフィルタの一覧を表示させることはできる。
図１０（ｂ）はカーソル位置表示状態を示す。カーソル表示状態Ｓ４０２と等価である。図１０（ａ）の状態から十字キー１０７のいずれかのキーを押し下げるか、ジョグダイヤル１０４を回転させるか又は押し込む操作をすると、この状態に移行する。最初はカーソル位置は左端なので、「ＡＴＷ」が明滅表示されている。
図１０（ｃ）はカーソル位置表示状態を示す。カーソル表示状態Ｓ４０２と等価である。図１０（ｂ）の状態から十字キー１０７の左右を押し下げるか、ジョグダイヤル１０４を回転操作すると、この状態に移行する。「ＮＤ１」は選択不能であるものの表示は可能な項目なので、「ＮＤ１」が明滅表示されている。
図１０（ｄ）は項目を選択した状態を示す。プルダウン／プルアップメニュー表示状態Ｓ４０３と等価である。図１０（ｂ）の状態から十字キー１０７の上下を押し下げるか、ジョグダイヤル１０４を押し込み操作すると、この状態に移行する。
図１０（ｅ）は項目を選択した状態を示す。特にこの場合は数値の変更にかかるユーザインターフェースの一形態である。すなわち、プルダウン／プルアップメニューを表示しない代わりに、項目の上下に三角のマークを表示し、上下十字キー或はジョグダイヤルを操作すると、表示されている項目内の数値が変化する。なお、このような表示形態に代えて、或はこのような表示形態と共に、回転ボリュームやスライドボリュームの画像を表示させて、これを増減させる表示形態であってもよい。
図１０（ｆ）は項目を選択した状態を示す。特にこの場合は、選択及び設定が不可能な項目における表示状態の一形態である。図１０（ｃ）の状態から十字キー１０７の上下を押し下げるか、ジョグダイヤル１０４を回転操作すると、この状態に移行する。「ＮＤ１」は選択不能であるものの表示は可能な項目なので、「ＮＤ１」が明滅表示されている。
【００３２】
図１１は、十字キー１０７の操作と、これに応じて撮影信号処理部２１１と表示信号処理部９０３がそれぞれ出力する画像データの内容を示す。
図１１（ａ）では、上十字キー１０７を押すと、表示されているプルアップメニュー中の設定値を選択する。図１１（ａ）では、撮影信号処理部２１１の画像データと、表示信号処理部９０３の画像データの両方共、ＣＣＤ撮像素子２０２の感度が低いために、画像データの内容が暗い。
図１１（ｂ）では、更に上十字キー１０７を押すと、表示されているプルアップメニュー中の設定値を選択する。すると、表示信号処理部９０３にはＣＣＤ撮像素子２０２の感度が変更される。ところが、撮影信号処理部２１１では値が変更されない。図１１（ｂ）では、表示信号処理部９０３の画像データは設定が変わって明るくなっている。しかし、撮影信号処理部２１１の画像データは設定が変わっていないので、ＣＣＤ撮像素子２０２の感度が低いままである。このため、画像データが暗い。
図１１（ｃ）では、右十字キー１０７を押すと、表示されているの設定値を設定する。すると、表示信号処理部９０３ではＣＣＤ撮像素子２０２の感度はそのままである一方、撮影信号処理部２１１では値が変更され、表示信号処理部９０３が出力する画像データと同じ内容になる。図１１（ｃ）では、表示信号処理部９０３の画像データは（ｂ）のときと同じである。一方、撮影信号処理部２１１の画像データは設定が変わったので、ＣＣＤ撮像素子２０２の感度が高くなり、画像データが明るくなる。
【００３３】
図１１ではＬＣＤ１０６やファインダー１１１による撮影モニタの画面で実際に値を選択すると、オンデマンドに表示画面が変化する一方、実際に不揮発性ストレージ２０７に記録されている動画像は一切設定が変更されていない。つまり、使用者は十字キー１０７やジョグダイヤル１０４でオンデマンドに表示状態を変更しながらモニタを行い、最適な撮影状態を見出したら、それを確定する。確定したときになって初めて撮影動画像は変更された撮影状態にて記録される。したがって、撮影しながら最適値を模索する等の、撮影動画像に影響するような見苦しい状態がなくなる。
以上に説明した内容は、第一の実施形態における、一瞬で終わる静止画の撮影とは異なり、連続した時間における動画撮影の最中に、設定項目の変更を確実且つ容易に行うことができる機能を提供するものである。
【００３４】
本実施形態には、以下のような応用例が考えられる。
（１）図３（ｂ）、図４、図６、図１０等では、メニュー項目は表示画面の上側或は下側に列挙表示されていたが、表示画面の右側或は左側に列挙表示させることも可能である。また、プルアップ／プルダウンメニューの項目数が多いときは、列挙表示する項目を複数の列や行に配置することも可能である。
なお、表示画面の右側或は左側にメニュー項目を列挙表示させる際には、十字キーのボタンの意味付けを項目の配置及びプルアップ／プルダウンメニューの配置に応じて変更することも可能である。つまり、項目が画面右側の列にあるときは、項目の移動を左右キーではなく上下キーに変更する、等である。
【００３５】
（２）本実施形態はビデオカメラに留まらず、デジタルカメラにも適用可能である。
デジタルカメラは横向きだけでなく縦向きに使用されることが非常に多い。そのとき、ＬＣＤ１０６に表示されるメニューと、十字キー１０７の操作体系も設置方向に応じて変わると非常に便利である。
図１２（ａ）はデジタル一眼レフカメラ１２０１を通常の横置きにしている状態を示す。図１２（ｂ）はそのときのＬＣＤ１２０６の表示状態を示し、図１２（ｃ）はそのときの十字キー１２０７に割り振られた操作機能を示す。
図１２（ｄ）は、デジタル一眼レフカメラ１２０１を図１２（ａ）の状態から時計回り逆方向（左回り）に９０°回転させて、垂直にした状態を示す。図１２（ｅ）はそのときのＬＣＤ１２０６の表示状態を示し、図１２（ｆ）はそのときの十字キー１０７に割り振られた操作機能を示す。
デジタル一眼レフカメラ１２０１は図示しない重力センサを内蔵する。重力センサはデジタル一眼レフカメラ１２０１の設置方向を検出し、これを内部のマイクロコンピュータに伝える。すると、マイクロコンピュータは重力方向に応じて、ＬＣＤ１２０６の表示項目と十字キー１２０７のキー割り当てを変更する。この機能により、
- 水平状態では十字キー１２０７の「上」が、左回りの垂直状態では「左」に、
- 水平状態では十字キー１２０７の「下」が、左回りの垂直状態では「右」に、
- 水平状態では十字キー１２０７の「左」が、左回りの垂直状態では「下」に、
- 水平状態では十字キー１２０７の「右」が、左回りの垂直状態では「上」に
機能が変更される。
なお、図示はしていないが、カメラ１２０１の回転方向を時計回り方向（右回り）に９０°回転させると、
- 水平状態では十字キー１２０７の「上」が、左回りの垂直状態では「右」に、
- 水平状態では十字キー１２０７の「下」が、左回りの垂直状態では「左」に、
- 水平状態では十字キー１２０７の「左」が、左回りの垂直状態では「上」に、
- 水平状態では十字キー１２０７の「右」が、左回りの垂直状態では「下」に
機能が変更される。
【００３６】
（３）図１３（ａ）に示すように、カーソル表示状態Ｓ４０２において、各項目の内容を詳述する簡易説明ウィンドウ１３０２を表示させてもよい。
【００３７】
（４）図１３（ｂ）に示すように、プルダウン／プルアップメニュー表示状態Ｓ４０３において、各設定値の内容を詳述するヘルプ付選択メニュー１３０３の形式にしてもよい。
【００３８】
（５）前述の第一及び第二の実施形態では、それぞれ撮影装置における実施形態を示した。
本発明は必ずしも静止画或は動画を撮影する装置に適用されるものではない。
例えば、周知の携帯電話において、十字キーを操作して各種設定値を確認したり変更したりする実施形態に応用が可能である。現在市場に流通する通常の携帯電話は、メニュー項目を呼び出す操作によって、各設定項目の表示はあれど、項目の値を一覧表示して、そこにカーソルを合わせて変更する、というユーザインターフェースを備えているものは見かけない。
【００３９】
（６）本実施形態の技術思想を、ソフトウェア製品にそのまま応用することも可能である。
例えば、マイクロソフト社（登録商標）の「Ｏｆｆｉｃｅ」等の、パーソナルコンピュータ上で稼動するビジネスソフトウェア等、多くのソフトウェアは多機能である。そのため、それらソフトウェアのプルダウンメニューは階層構造化されているものが多く、目的の機能を見つけることが困難になってしまっている。そこで、本実施形態の技術内容をそのまま適用する。具体的には、あるプルダウン項目を選択すると、図３（ｂ）のようなメニュー表示専用のウィンドウが表示中の画面とは別に独立して表示され、図６に示すように設定項目を矢印キー等で選択できる。
【００４０】
本実施形態においては、ＬＣＤ等の表示画面を備える携帯型電子機器において、十字キー及び／又はジョグダイヤルによる操作だけで、およそ必要な設定項目の表示や変更を容易に実現できる。
表示画面には、設定項目名ではなく設定内容そのものがそのまま表示されており、使用者は変更したい値にカーソルを合わせて変更することができる。そして、変更された内容は直ちに表示画面中の設定値として反映されるので、極めて直感的で判り易い。
本実施形態によるこのような操作体系は、従来の電子機器にありがちな、沢山の操作ボタンの操作の習熟を要せずに、極めて迅速に目的を達成できる、直感的なユーザインターフェースを提供するものである。
しかしながら、本実施形態による操作体系は、電子機器に対する操作の習熟度が向上すれば、次第にメニューの選択が煩わしく思えるようになるだろう。そうなったら、使用者は頻繁に使用する設定変更項目を直接的に呼び出して変更するための、別のユーザインターフェース（操作体系）を習熟すればよい。
本実施形態によるユーザインターフェースは、いわば「初心者のための操作体系」を提供するものである。分厚いマニュアル等を通読することなく、先ずは取り敢えず使える機器にするための、ユーザフレンドリーな操作体系である。
【００４１】
更に、本実施形態は、静止画或は動画を撮影する装置において特に有益である。
設定を選択していく過程で、ＬＣＤに表示されている撮影中の画像がオンデマンドに変更されるので、操作に伴ってどのように撮影画像が変更されるのかが、使用者は直感的に把握できる。
特に、ビデオカメラにおいては、撮影中にカメラの感度を適切な値に変更する等の設定変更が、使用者の勘等に頼ることなく、確実且つ高品位に実現できる。
【００４２】
以上、本発明の実施形態例について説明したが、本発明は上記実施形態例に限定されるものではなく、特許請求の範囲に記載した本発明の要旨を逸脱しない限りにおいて、他の変形例、応用例を含むことは言うまでもない。
【図面の簡単な説明】
【００４３】
【図１】本発明の第一の実施の形態によるビデオカメラの外観図である。
【図２】本発明の第一の実施の形態によるビデオカメラの内部機能ブロック図である。
【図３】表示画面の一例である。
【図４】十字キーの操作に対応する状態遷移図である。
【図５】十字キーの操作に対応する状態遷移表である。
【図６】表示画面上における表示項目の移動を示す概念図である。
【図７】表示画面の変化を示す概念図である。
【図８】表示画面の変化を示す概念図である。
【図９】本発明の第二の実施の形態によるビデオカメラの内部機能ブロック図である。
【図１０】表示画面の一例である。
【図１１】表示画面の一例である。
【図１２】応用例による、デジタル一眼レフカメラの載置状態と表示画面の変化と十字キーの機能割り当ての変化を示す概略図である。
【図１３】応用例による、デジタル一眼レフカメラの表示画面の変化を示す概略図である。
【符号の説明】
【００４４】
１０１…ビデオカメラ、１０２…グリップ部、１０３…録画ボタン、１０４…ジョグダイヤル、１０５…キャンセルキー、１０６…ＬＣＤ、１０７…十字キー、１０８…エンターキー、２０２…ＣＣＤ撮像素子、２０３…Ａ／Ｄ変換器、２０４…ＤＳＰ、２０５…ディスプレイドライバ、２０６…インターフェース、２０７…不揮発性ストレージ、２０８…マイクロコンピュータ、２１１…撮影信号処理部、２１２…画像合成部、２１３…メニュー表示及び設定値変更部、２１４…設定情報記憶部、２１５…シリアルインターフェース
【図１】
2008072491.tif 000003
【図２】
2008072491.tif 000004
【図３】
2008072491.tif 000005
【図４】
2008072491.tif 000006
【図５】
2008072491.tif 000007
【図６】
2008072491.tif 000008
【図７】
2008072491.tif 000009
【図８】
2008072491.tif 000010
【図９】
2008072491.tif 000011
【図１０】
2008072491.tif 000012
【図１１】
2008072491.tif 000013
【図１２】
2008072491.tif 000014
【図１３】
2008072491.tif 000015